(57)【要約】【課題】ファンカバーへ整流板を強固に固定でき、送風性能の安定した電動送風機の提供。【解決手段】  モータ部と、このモータ部の出力軸に取り付けられた送風用ファンと、この送風用ファンを覆うように周壁部がモータ部に固定された吸気口を有するファンカバーと、このファンカバーを覆い、前記吸気口に対向して開口部を形成した整流筒とを備え、ファンカバーの外周壁部全周に凹状の段差部を形成し、該段差部に前記整流筒を嵌合固定したことにより、課題を解決する。【選択図】図１
2010096149.tif 000002
【特許請求の範囲】
【請求項１】
モータ部と、
前記モータ部の出力軸に取り付けられた送風用ファンと、
前記送風用ファンを覆うように周壁部が前記モータ部に固定された吸気口を有するファンカバーと、
前記ファンカバーを覆い、前記吸気口に対向して開口部を形成した整流筒と、
を備え、
前記ファンカバーの外周壁部全周に凹状の段差部を形成し、該段差部に前記整流筒を嵌合固定したことを特徴とする電動送風機。
【請求項２】
前記段差部が、前記整流筒の厚さに略一致することを特徴とする請求項１に記載の電動送風機。
【請求項３】
前記整流板の開口部の周囲に、所定曲率を有し、該開口部に流入する気流を整流する複数枚のブレードを設けたことを特徴とする請求項１又は２に記載の電動送風機。
【請求項４】
請求項１乃至３に記載のいずれかの電動送風機を用いた掃除機。
【発明の詳細な説明】
【技術分野】
【０００１】
本発明は、主に掃除機に用いる電動送風機に関する。
【背景技術】
【０００２】
従来から、掃除機に用いられる電動送風機のファンカバーに、吸引する空気の流れを整流する整流板が設けられたものがある。
この整流板の形状は、外周部に段部が形成され、この段部の周囲に鍔部が形成され、中央に開口部が形成されている。
そして、この整流板は、段部をモータクッションに嵌合させ、鍔部をモータクッションと電動送風機のファンカバーに挟持し、開口部をファンカバーに形成された吸気口に一致した状態で、掃除機に用いられる（例えば、特許文献１）。
【０００３】
【特許文献１】特開平１０−１４８２７号公報（図２）
【発明の開示】
【発明が解決しようとする課題】
【０００４】
しかしながら、この整流板は、モータクッションに段部が嵌合して取付けられ、モータクッションとファンカバーに挟持される為、ファンカバーに対しては固定されていない。
この為、電動送風機を掃除機に組み込む際や使用時の振動・衝撃によりに、ファンカバーに対するモータクッションの位置がずれると、ファンカバーと整流板の位置もずれてしまう。
これにより、ファンカバーの吸気口と整流板の開口部がずれた状態となり、整流板が吸気口を塞いでしまうことから、電動送風機が吸引する空気の流入量が減少し、送風性能の低下につながる問題がある。
【０００５】
本発明は、上記のような課題を解決するためになされたもので、整流板をファンカバーの所定位置に固定でき、送風性能の安定した電動送風機を提供することを目的とする。
【課題を解決するための手段】
【０００６】
本発明に係る電動送風機は、モータ部と、このモータ部の出力軸に取り付けられた送風用ファンと、この送風用ファンを覆うように周壁部がモータ部に固定された吸気口を有するファンカバーと、このファンカバーを覆い、前記吸気口に対向して開口部を形成した整流筒とを備え、ファンカバーの外周壁部全周に凹状の段差部を形成し、該段差部に前記整流筒を嵌合固定したことにより、課題を解決する。
【発明の効果】
【０００７】
本発明の電動送風機は、整流筒をファンカバーの周壁部に直接嵌合固定するので、電動送風機を掃除機に取付ける際や振動・衝撃により、モータクッションと電動送風機との位置がずれても、ファンカバーと整流板との位置はずれない。
つまり、ファンカバーへ整流筒を直接固定でき、送風性能の安定した電動送風機を提供することができる。
【発明を実施するための最良の形態】
【０００８】
実施の形態１
以下、図面を参照しながら本発明の実施の形態１について説明する。
図１は、本発明の実施の形態１を示す電動送風機の断面図である。
図２は、図１の要部拡大図である。
【０００９】
図１〜図２において、電動送風機１００は、送風用ファン３２を回転駆動するモータ部１０と、この送風用ファン３２の回転により冷却風を取り込み、整流するブロア部３０から構成されている。
モータ部１０の外郭は、一端に開口部１１ａを他端には底部１１ｂを有する筒状のフレーム１１により構成される。
【００１０】
このフレーム１１の開口部１１ａは、後述するモータ部１０の出力軸１５を中心とする円形に形成されたブラケット１２が、フレーム１１の取付けフランジ１１ｄに、螺子１２ｃにより固着されて組み付けられている。
尚、ブラケット１２には、後述するファンガイド３３により整流された冷却風をモータ部１０の内部に導入する開口部１２ａが形成され、外周端１２ｂは、フレーム１１とは逆方向に折り曲げられている。
【００１１】
次に、フレーム１１の底部１１ｂには後軸受１３が、ブラケット１２には前軸受１４が、それぞれ設けられている。
そして、後述するロータ１６に取付けられた出力軸１５が、ブラケット１２を貫通して前軸受１４から先端部１５ａが突出した状態で、前軸受１４及び後軸受１３に回転自在に支持されている。
尚、フレーム１１には、モータ部１０の内部の空気を排出する開口部１１ｃが形成されている。
【００１２】
次に、ロータ１６は、複数の鉄の板材を積層した鉄心で形成されたスロットに、コイルを巻回することにより構成されている。そして、このロータ１６を構成する鉄心の中心には、出力軸１５が固着して取付けられている。
そして、この出力軸１５のロータ１６と後軸受１３の間には、整流子１７が固着して取付けられている。整流子１７は、ロータ１６のコイルに電気的に接続され、フレーム１１に設けられた一対のブラシ１８と接触する。
【００１３】
次に、ロータ１６に作用する磁力を発生させるステータ１９は、複数の鉄の板材を積層し、一対の磁極を有するステータコアと、このステータコアに絶縁材料から成る巻枠を介して巻回するコイルから構成される。
このように各部を構成したステータ１９は、フレーム１１の内面に、ステータコアの外周面を当接して保持され、向かい合う一対の磁極が介する空隙には、ロータ１６が回転可能に位置する。
【００１４】
次に、図１〜図２を参照して、ブロア部３０について説明する。
ブロア部３０は、ファンカバー３１と送風用ファン３２とファンガイド３３と整流筒３４により構成されている。
ファンカバー３１は、円筒形状である周壁部３１ａと、この周壁部３１ａの一方の開口を塞ぐ蓋部３１ｂからなる。
【００１５】
このファンカバー３１の蓋部３１ｂは、周壁部３１ａから円筒の内方に向かって延在する平面部３１ｆと、この平面部３１ｆから送風用ファン３２の形状に沿って立ち上がる、断面形状が円弧状をした突出部３１ｇからなる。
そして、この突出部３１ｇの頂部の位置、つまり、蓋部３１ｂの中央部には、開口を開けることにより、空気の吸気口３１ｃが形成される。
尚、吸気口３１ｃの中心は、送風用ファン３２の回転中心と一致している。
【００１６】
また、蓋部３１ｂ側である周壁部３１ａの上端側には、周壁部３１ａの外周面を全周に渡って凹ますことにより、段差部３１ｅが形成されている。尚、この段差部３１ｅの深さは、整流筒３４の厚さと略一致する程度の深さである。
そして、ファンカバー３１は、周壁部３１ａの下端部３１ｄが、ブラケット１２の外周端１２ｂに嵌合して、ブラケット１２に固定されている。
【００１７】
次に、整流筒３４は、ファンカバー３１の吸気口３１ｃ側に設けられ、ファンカバー３１の吸気口３１ｃ側を所定の間隙をもって覆うことにより、吸気口３１に吸引される空気の流れを整流するものである。
この整流筒３４は、円筒形状の筒部３４ａと、この筒部３４ａの一方の開口を塞ぐ蓋部３４ｂから構成されている。
【００１８】
この整流筒３４の蓋部３４ｂは、筒部３４ａから円筒の内方に向かって延在する第１の平面部３４ｆと、この第１の平面部３４ｆから垂直に立ち上がる立ち上げ部３４ｇと、この立ち上げ部３４ｇから円筒の内方に向かって延在する第２の平面部３４ｈからなる。
そして、この第２の平面部３４ｈの中心位置、つまり、この蓋部３４ｂの中央部には、開口部３４ｃが形成されている。
【００１９】
そして、このように構成された整流筒３４は、整流筒３４の第１の平面部３４ｆとファンカバー３１の平面部３１ｆが重なった状態で、ファンカバー３１の段差部３１ｅに、筒部３４ａの内周３４ｉが密接した状態で嵌合して、ファンカバー３１に取付けられる。
この時、ファンカバー３１の吸気口３１ｃと整流筒の開口部３４ｃは、互いに対向する位置となる。また、ファンカバー３１の突出部３１ｇと整流筒３４の第２の平面３４ｈは、空隙を介して位置している。
このように、突出した形状であるファンカバー３１の吸気口３１ｃ側を、整流筒３４の第２の平面部３４ｈで平面に覆うことにより、吸気口３１ｃ及び突出部３１ｇの周囲で発生する渦流の発生を抑えることができる。
【００２０】
次に、掃除機内部にこの電動送風機１００を取付ける場合、ブロアー部３０の外形状に合った形状のモータクッション２０に、ブロアー部３０を嵌合して掃除機内部に取付けられる。
例えば、図１〜図２を参照すると、モータクッション２０の内周面が、整流筒３４の第１の平面部３４ｆを覆うと共に、整流筒３４の筒部３４ａの外周面と、ファンカバー３１の周壁部３１ａの外周面を覆った状態で、取付けられる。
【００２１】
次に、送風用ファン３２は、ファンカバー３１の内部で、モータ１０の内部からブラケット１２を突出する出力軸１５の先端部１５ａに固着されている。
ファンガイド３３は、送風用ファン３２とブラケット１２の間に位置し、送風用ファン３２からの気流を整流して、効率良くブラケット１２に形成された開口部１２ａへ送出する。
【００２２】
以上のように各部を構成すると、整流筒３４は、ファンカバー３１に直接固定して取付けられるので、電動送風機１００をモータクッションに取付ける際や振動・衝撃等により、モータクッション２０と電動送風機１００がずれても、整流筒３４とファンカバー３１の位置がずれない構成にすることができる。
【００２３】
また、整流筒３４の筒部３４ａの厚みと略一致する程度の大きさの凹みからなるファンカバー３１の段差部３１ｅに、筒部３４ａの内周が嵌合してファンカバー３１に取付けられるので、ファンカバー３１の最大外形内で、整流筒３４を固定できると共に、ファンカバー３１の内部領域を確保することができる。
これにより、ファンカバー３１の取付けによる電動送風機の大型化を防ぐことができる。
【００２４】
実施の形態２
以下、図面を参照しながら本発明の実施の形態２について説明する。尚、実施の形態１と同じ構成については、同一の符号を付し、説明を省略する。
図３は、本発明の実施の形態２を示す電動送風機の断面図である。
図４は、図３の斜視図である。
【００２５】
図３〜図４において、実施の形態２の電動送風機２００は、ブロア部４０にブレード４４ｉを有する整流板４４を用いたものである。
この整流筒４４は、ファンカバー３１の吸気口３１ｃ側に設けられ、ファンカバー３１を覆うことにより、吸引する空気の流れを整流するものである。
この整流筒４４は、円筒状の筒部４４ａと、この筒部４４ａの一方の開口を塞ぐ蓋部４４ｂから構成されている。
【００２６】
この蓋部４４ｂは、筒部４４ａから円筒の内方に向かって延在する第１の平面部４４ｆと、この第１の平面部４４ｆから立ち上がる立ち上げ部４４ｇと、この立ち上げ部４４ｇから円筒の内方に向かって延在する第２の平面部４４ｈからなる。
この第２の平面部４４ｈの中心位置、つまり、この蓋部４４ｂの先端には、開口部４４ｃが形成されている。
【００２７】
そして、第２の平面部４４ｈの上面には、開口部４４ｃを中心に、この開口部４４ｃの周縁から外方に向かって放射状に、所定曲率で湾曲した複数のブレード４４ｉが整列して設けられている。
このブレード４４ｉの向きは、送風用ファン３２の回転方向と同じ方向に、旋回気流が発生するように形成されている。
【００２８】
以上のように各部を構成すると、送風用ファン３２が回転することにより、整流板４４の周囲の空気が開口部４４ｃに向かって吸引される気流となる。
この時、開口部４４ｃに吸引される気流は、整流板４４に設けられたブレード４４ｉにより整流されて、開口部４４ｃに流入する。
このように、電動送風機が駆動中に常に大きな風圧を受けるブレード４４ｉを有する整流板４４を電動送風機に用いても、整流板４４がファンカバー３１に嵌合することにより固定されているので、整流板４４がファンカバー３１に対してずれることがない。
【図面の簡単な説明】
【００２９】
【図１】実施の形態１を示す電動送風機の断面図
【図２】実施の形態１を示す電動送風機の断面の要部拡大図
【図３】実施の形態２を示す電動送風機の断面図
【図４】実施の形態２を示す電動送風機の斜視図
【符号の説明】
【００３０】
１００  電動送風機
１０    モータ部
１１    フレーム
１２    ブラケット
１３    後軸受
１４    前軸受
１５    回転軸
１６    ロータ
１７    整流子
１８    ブラシ
１９    ステータ
２０    モータクッション
３０    ブロア部
３１    ファンカバー
３１ａ  ファンカバーの周壁部
３１ｂ  ファンカバーの蓋部
３１ｃ  ファンカバーの吸気口
３１ｅ  段差部
３２    送風用ファン
３３    ファンガイド
３４    整流筒
３４ａ  整流筒の筒部
３４ｂ  整流筒の蓋部
３４ｃ  整流筒の開口部
４４    整流筒（実施の形態２）
４４ｉ  ブレード
【図１】
2010096149.tif 000003
【図２】
2010096149.tif 000004
【図３】
2010096149.tif 000005
【図４】
2010096149.tif 000006